(57)【要約】【課題】吹出し口に配置された風向変更羽根及び前記駆動装置を具備した天カセ室内機において、高温多湿状態で長時間運転すると前記風向変更羽根に結露し滴下する可能性があることから、室内熱交温度を検知して設定温度を下回ったら圧縮機の運転周波数を低下させると同時に前記羽根角度を固定するいわゆる露付防止制御を入れているが、羽根角度を固定してしまうことから冷風が直接人体に当り快適性が損なわれるという不具合を有していた。【解決手段】室内配管温度が設定値を下回ると圧縮機運転周波数を低下させるが、風向変更羽根角度を固定させる配管温度は第２の設定値として別に設け、配管温度がさらに第２の設定値を下回ると、風向変更羽根１１を固定させることから、羽根角度固定時の運転範囲が狭まり快適性を損なうことなく冷房運転が可能になる。【選択図】図５
2008281247.tif 000002
【特許請求の範囲】
【請求項１】
室内熱交換器、送風機、及び前記送風機を駆動する駆動回路、吹出し口に配設され吹出した風の方向を変更する風向変更羽根及び前記風向変更羽根を駆動する駆動回路で構成される空気調和機の室内機において、室内吸込み温度検出手段、室外吸込み温度検出手段、並びに圧縮機運転周波数検出手段、室内送風機速度検出手段、及び風向変更羽根角度検出手段を具備し、冷房または除湿運転時において、室内送風機速度が設定速度以下で、運転開始から所定時間運転後でかつ室内吸込み温度が設定値以上で、室外吸込み温度が設定値以下のとき、室内配管温度が第１の設定値を下回ると圧縮機運転周波数を低下させ、さらに前記室内配管温度が第２の設定値を下回ると風向変更羽根角度を設定角度に固定することを特徴とする空気調和機の運転制御方法。
【請求項２】
冷房または除湿運転時において、室内配管温度が第１の設定値を下回ると圧縮機運転周波数を第１の設定値まで低下させると同時に、タイマーカウントをＯＮし、タイマーが設定時間になると風向変更羽根角度を設定角度に固定することを特徴とする請求項１に記載の空気調和機の運転制御方法。
【請求項３】
冷房または除湿運転時において、室内配管温度が第１の設定値を下回ると圧縮機運転周波数を第１の設定値まで低下させ、さらに室内配管温度が低下して圧縮機運転周波数が第２の設定値まで低下すると風向変更羽根角度を設定角度に固定することを特徴とする請求項第１又は２に記載の空気調和機の運転制御方法。
【請求項４】
冷房または除湿運転時において、室外吸込み温度が第１の設定値を下回ると圧縮機運転周波数を低下させ、さらに室外吸込み温度が低下して第２の設定値を下回ると風向変更羽根角度を設定角度に固定することを特徴とする請求項第１〜３のうちいずれか一項に記載の空気調和機の運転制御方法。
【請求項５】
冷房または除湿運転時において、室内吸込み温度が第１の設定値以上で圧縮機運転周波数を低下させ、さらに室内吸込み温度が低下して第１の設定値を下回り、かつ第２の設定値以上であるとき風向変更羽根角度を設定角度に固定することを特徴とする請求項第１〜４のうちいずれか一項に記載の空気調和機の運転制御方法。
【発明の詳細な説明】
【技術分野】
【０００１】
本発明は、空気調和機の運転制御方法に関するものである。
【背景技術】
【０００２】
従来この種空気調和機の運転制御方法は、図１７のフローチャート及び図１８のタイムチャート並びに図１９のブロック図に示すように、内外気温及び室内熱交換器温度を検知することにより、室内吹出し口の結露状態を推定し、圧縮機の運転周波数を下げ、さらに風向変更羽根角度を最も水滴が付き難い角度に変更し水滴の滴下を防止している（例えば特許文献１参照）。
【特許文献１】特開平６−１２３４７７号公報
【発明の開示】
【発明が解決しようとする課題】
【０００３】
しかしながら、前記従来の構成では、圧縮機運転周波数を下げるのと同時に、風向変更羽根角度を水滴が付き難い角度に変更してしまうため、冷風が直接人体に当たり快適性を著しく損なうという課題を有していた。
【０００４】
本発明は前記従来の課題を解決するもので、室内熱交温度が設定に達したら先に圧縮機運転周波数を下げ、さらに前記熱交温度が低下したら、風向変更羽根の角度を水滴が最も付き難い角度に変更することにより快適性を損なうことなく吹出し口の結露防止を可能にした空気調和機の運転制御方法を提供することを目的とする。
【課題を解決するための手段】
【０００５】
前記従来の課題を解決するために本発明の空気調和機の運転制御方法は、圧縮機運転周波数検出手段、室内吸込み温度検出手段、室外吸込み温度検出手段、室内送風機速度検出手段、及び風向変更羽根角度検出手段、を備え、冷房または除湿運転時において、室内送風機が設定速度以下で、運転開始から所定時間後でかつ室内吸込み温度が設定値以上で、室外吸込み温度が設定値以下のとき、室内配管温度が第１の設定値を下回ると、圧縮機運転周波数を低下させ、さらに前記室内配管温度が第２の設定値を下回ると、風向変更羽根を設定角度に固定するものである。これによって、室内機吹出し口の結露を防ぐことを可能としたものである。
【０００６】
また本発明の空気調和機の送風機制御方法は、圧縮機運転周波数検出手段、室内吸込み温度検出手段、室外吸込み温度検出手段、室内送風機速度検出手段、及び風向変更羽根角度検出手段、構成され、冷房または除湿運転時において、室内送風機が設定速度以下で、運転開始から所定時間後でかつ室内吸込み温度が設定値以上で、室外吸込み温度が設定値以下のとき、室内配管温度が第１の設定値を下回ると、圧縮機運転周波数を低下させると同時に、タイマーカウントをＯＮしタイマーが設定時間になると風向変更羽根を設定角度に固定するものである。これによって、室内機吹出し口の結露を防ぐことを可能としたものである。
【発明の効果】
【０００７】
本発明の空気調和機の運転制御方法は快適性を損なうことなく、室内吹出し口の結露を防ぐことができる。
【発明を実施するための最良の形態】
【０００８】
第１の発明は、圧縮機運転周波数検出手段、室内吸込み温度検出手段、室外吸込み温度
検出手段、室内送風機速度検出手段、及び風向変更羽根角度検出手段、を備え、冷房または除湿運転時において、室内送風機が設定速度以下で、運転開始から所定時間後でかつ室内吸込み温度が設定値以上で、室外吸込み温度が設定値以下のとき、室内配管温度が第１の設定値を下回ると、圧縮機運転周波数を低下させ、さらに前記室内配管温度が第２の設定値を下回ると、風向変更羽根を設定角度に固定することにより、快適性を損なうことなく室内機吹出し口の結露を防ぐことができる。
【０００９】
第２の発明は、特に第１の発明の運転制御方法を、冷房または除湿運転時において、室内送風機が設定速度以下で、運転開始から所定時間後でかつ室内吸込み温度が設定値以上で、室外吸込み温度が設定値以下のとき、室内配管温度が第１の設定値を下回ると、圧縮機運転周波数を低下させると同時に、タイマーカウントをＯＮしタイマーが設定時間になると風向変更羽根を設定角度に固定することにより、快適性を損なうことなく室内吹出し口の結露を防ぐことができる。
【００１０】
第３の発明は、特に第１の発明または第２の発明の運転制御方法を、冷房または除湿運転時において、室内送風機が設定速度以下で、運転開始から所定時間後でかつ室内吸込み温度が設定値以上で、室外吸込み温度が設定値以下のとき、室内配管温度が第１の設定値を下回ると圧縮機運転周波数を低下させ、さらに前記配管温度が第２の設定温度を下回って前記圧縮機運転周波数が低下すると、風向変更羽根を設定角度に固定することにより、快適性を損なうことなく室内吹出し口の結露を防ぐことができる。
【００１１】
第４の発明は、特に第１〜第３のいずれか１つの発明の運転制御方法を、冷房または除湿運転時において、室内送風機が設定速度以下で、運転開始から所定時間後でかつ室内吸込み温度が設定値以上のとき、外気温度が第１の設定値を下回ると圧縮機運転周波数を低下させ、さらに前記外気温度が第２の設定温度を下回ると風向変更羽根を設定角度に固定することによりことにより、快適性を損なうことなく室内吹出し口の結露を防ぐことができる。
【００１２】
第５の発明は、特に第１〜第４のいずれか１つの発明の運転制御方法を、冷房または除湿運転時において、室内送風機が設定速度以下で、運転開始から所定時間後でかつ室外吸込み温度が設定値以下のとき、室内吸込み温度が第１の設定値を上回ると圧縮機運転周波数を低下させ、さらに前記吸込み温度が第１の設定温度を下回り、かつ第２の設定値を上回ると風向変更羽根を設定角度に固定することにより、快適性を損なうことなく室内吹出し口の結露を防ぐことができる。
【００１３】
以下本発明の実施の形態について図面を参照して説明する。なお本実施の形態によって本発明が限定されるものではない。
【００１４】
（実施の形態１）
第１図は、本発明の実施の形態における運転制御方法を示す冷凍サイクル図である。同図において、冷凍サイクルは能力可変型圧縮機１、冷房運転と暖房運転を切換える４方弁２、室外熱交換器３、室外送風機４、外気温度センサー５、電動膨張弁６、室内熱交換器７、室内配管温度センサー８、室内吸込み温度センサー９、室内送風機１０、室内風向変更羽根１１、室内羽根駆動装置１２で構成されている。暖房運転時には４方弁２が切り変わることにより、同図の矢印の方向に冷媒が流れるようになっている。
【００１５】
図２は、本発明の実施の形態１における空気調和機の運転制御方法のブロック図である。第３図のフローチャート及び第４図のタイムチャートにより、空気調和機の運転制御の動作を説明する。
【００１６】
冷房または除湿運転時において、圧縮機ＯＮ２０分経過後、室内ファン速がＬｏで、室内吸込み温度が設定Ｔｓｉ以上でかつ室外吸込み温度が設定値Ｔｓｏ以下のとき、室内配管温度が第１の設定値Ｔｈ１を下回ると露付き防止制御に突入し、圧縮機運転周波数は低下する。このとき吹出し口に設けられた風向変更羽根はユーザーが設定した角度に自由に動くことができる。しかし前記室内配管温度が低下し、第２の設定値Ｔｈ２を下回ると風向変更羽根角度が角度１に固定するものである。
【００１７】
ここで羽根角度１は通風抵抗が最も少なく室内機の風量が最大値を取る角度に設定されており、従って吹出し口の結露を最小限にすることができる。これによって、室内機吹出し口の結露を防ぐことができる。
【００１８】
（実施の形態２）
図５は、本発明の実施の形態２における空気調和機の運転制御方法のブロック図である。第６図のフローチャート及び第７図のタイムチャートにより、空気調和機の運転制御の動作を説明する。
【００１９】
冷房または除湿運転時において、圧縮機ＯＮ２０分経過後、室内ファン速がＬｏで、室内吸込み温度が設定Ｔｓｉ以上でかつ室外吸込み温度が設定値Ｔｓｏ以下のとき、室内配管温度が第１の設定値Ｔｈ１を下回ると露付き防止制御に突入し、タイマーカウントがリセットすると同時に圧縮機運転周波数は低下する。このとき吹出し口に設けられた風向変更羽根はユーザーが設定した角度に自由に動くことができる。前記露付き制御突入後タイマーカウントが設定時間ｔｄ経過すると、風向変更羽根角度が角度１に固定される。
【００２０】
ここで羽根角度１は通風抵抗が最も少なく室内機の風量が最大値を取る角度に設定されており、従って吹出し口の結露を最小限にすることができる。これによって、室内機吹出し口の結露を防ぐことができる。
【００２１】
（実施の形態３）
図８は、本発明の実施の形態３における空気調和機の運転制御方法のブロック図である。第９図のフローチャート及び第１０図のタイムチャートにより、空気調和機の運転制御の動作を説明する。
【００２２】
冷房または除湿運転時において、圧縮機ＯＮ２０分経過後、室内ファン速がＬｏで、室内吸込み温度が設定Ｔｓｉ以上でかつ室外吸込み温度が設定値Ｔｓｏ以下のとき、室内配管温度が第１の設定値Ｔｈ１を下回ると露付き防止制御に突入し、圧縮機運転周波数は低下する。このとき吹出し口に設けられた風向変更羽根はユーザーが設定した角度に自由に動くことができる。前記圧縮機周波数ダウン回数が設定回数ｎ回に到達すると、風向変更羽根角度が角度１に固定される。
【００２３】
ここで羽根角度１は通風抵抗が最も少なく室内機の風量が最大値を取る角度に設定されており、従って吹出し口の結露を最小限にすることができる。これによって、室内機吹出し口の結露を防ぐことができる。
【００２４】
（実施の形態４）
図１１は、本発明の実施の形態４における空気調和機の運転制御方法のブロック図である。第１２図のフローチャート及び第１３図のタイムチャートにより、空気調和機の運転制御の動作を説明する。
【００２５】
冷房または除湿運転時において、圧縮機ＯＮ２０分経過後、室内ファン速がＬｏで、室内吸込み温度が設定Ｔｓｉ以上でかつ室外吸込み温度が設定値Ｔｓｏ１以下のとき、室内
配管温度が第１の設定値Ｔｈ１を下回ると露付き防止制御に突入し、圧縮機運転周波数は低下する。このとき吹出し口に設けられた風向変更羽根はユーザーが設定した角度に自由に動くことができる。前記室外吸込み温度がさらに設定値Ｔｓｏ２を下回ると、風向変更羽根角度が角度１に固定される。
【００２６】
ここで羽根角度１は通風抵抗が最も少なく室内機の風量が最大値を取る角度に設定されており、従って吹出し口の結露を最小限にすることができる。これによって、室内機吹出し口の結露を防ぐことができる。
【００２７】
（実施の形態５）
図１４は、本発明の実施の形態５における空気調和機の運転制御方法のブロック図である。第１５図のフローチャート及び第１６図のタイムチャートにより、空気調和機の運転制御の動作を説明する。
【００２８】
冷房または除湿運転時において、圧縮機ＯＮ２０分経過後、室内ファン速がＬｏで、室内吸込み温度が設定Ｔｓｉ１以上でかつ室外吸込み温度が設定値Ｔｓｏ１以下のとき、室内配管温度が第１の設定値Ｔｈ１を下回ると露付き防止制御に突入し、圧縮機運転周波数は低下する。このとき吹出し口に設けられた風向変更羽根はユーザーが設定した角度に自由に動くことができる。前記室内吸込み温度がＴｓｉ１以上でさらに設定値Ｔｓｉ２を下回ると、風向変更羽根角度が角度１に固定される。
【００２９】
ここで羽根角度１は通風抵抗が最も少なく室内機の風量が最大値を取る角度に設定されており、従って吹出し口の結露を最小限にすることができる。これによって、室内機吹出し口の結露を防ぐことができる。
【図面の簡単な説明】
【００３０】
【図１】本発明の第１の実施形態を示す運転制御方法の冷凍サイクル図
【図２】本発明の第１の実施形態を示す運転制御方法のブロック図
【図３】本発明の第１の実施形態を示す運転制御方法のフローチャート
【図４】本発明の第１の実施形態を示す運転制御方法のタイムチャート
【図５】本発明の第２の実施形態を示す運転制御方法のブロック図
【図６】本発明の第２の実施形態を示す運転制御方法のフローチャート
【図７】本発明の第２の実施形態を示す運転制御方法のタイムチャート
【図８】本発明の第３の実施形態を示す運転制御方法のブロック図
【図９】本発明の第３の実施形態を示す運転制御方法のフローチャート
【図１０】本発明の第３の実施形態を示す運転制御方法のタイムチャート
【図１１】本発明の第４の実施形態を示す運転制御方法のブロック図
【図１２】本発明の第４の実施形態を示す運転制御方法のフローチャート
【図１３】本発明の第４の実施形態を示す運転制御方法のタイムチャート
【図１４】本発明の第５の実施形態を示す運転制御方法のブロック図
【図１５】本発明の第５の実施形態を示す運転制御方法のフローチャート
【図１６】本発明の第５の実施形態を示す運転制御方法のタイムチャート
【図１７】従来の運転制御方法のフローチャート
【図１８】従来の運転制御方法のタイムチャート
【図１９】従来の運転制御方法のブロック図
【符号の説明】
【００３１】
１  圧縮機
２  ４方弁
３  室外熱交換器
４  室外送風機
５  外気温度センサー
６  電動膨張弁
７  室内熱交換器
８  室内配管温度センサー
９  室内吸込み温度センサー
１０  室内送風機
１１  室内風向変更羽根
１２  室内羽根駆動装置
【図１】
2008281247.tif 000003
【図２】
2008281247.tif 000004
【図３】
2008281247.tif 000005
【図４】
2008281247.tif 000006
【図５】
2008281247.tif 000007
【図６】
2008281247.tif 000008
【図７】
2008281247.tif 000009
【図８】
2008281247.tif 000010
【図９】
2008281247.tif 000011
【図１０】
2008281247.tif 000012
【図１１】
2008281247.tif 000013
【図１２】
2008281247.tif 000014
【図１３】
2008281247.tif 000015
【図１４】
2008281247.tif 000016
【図１５】
2008281247.tif 000017
【図１６】
2008281247.tif 000018
【図１７】
2008281247.tif 000019
【図１８】
2008281247.tif 000020
【図１９】
2008281247.tif 000021